(57)【要約】【課題】  電子化されたドキュメントで、一般書籍の様にぱらぱらとページをめくる様な見せ方で、ドキュメントの概要把握を行わせる際、閲覧者がページを見続けなくてはならない苦痛を緩和することを目的とする。【解決手段】  電子化されたドキュメントのぱらぱらめくりを行う際、ドキュメントのページ内には概要把握に効果のある項目と効果の少ない項目が存在することに注目し、効果の少ない項目だけで構成されたページに関しては、そのページの表示を行わなかったり、非常に短時間だけ表示を行う。【選択図】        図５
2006268463.tif 000002
【特許請求の範囲】
【請求項１】
電子化されたドキュメントのページを連続して表示する際、各ページの中に所定の要素項目が少なくとも１つ以上存在する場合は所定時間そのページを表示し、所定の要素項目がいずれも存在しない場合はそのページの表示を行わないことを特徴とする電子化ドキュメントの閲覧装置。
【請求項２】
所定時間はある幅の中から選択可能になっていることを特徴とした請求項１記載の電子化ドキュメントの閲覧装置。
【請求項３】
電子化されたドキュメントのページを連続して表示する際、各ページの中に所定の要素項目が少なくとも１つ以上存在する場合は第１の所定時間そのページを表示し、所定の要素項目がいずれも存在しない場合は第２の所定時間そのページの表示を表示することを特徴とする電子化ドキュメントの閲覧装置。
【請求項４】
第２の所定時間は、第１の所定時間より短いことを特徴とした請求項３記載の電子化ドキュメントの閲覧装置。
【請求項５】
第１の所定時間はある幅の中から選択可能になっていることを特徴とした請求項３又は請求項４記載の電子化ドキュメントの閲覧装置。
【請求項６】
所定の要素項目には、目次、章タイトル、写真、イラスト、表、グラフ、アンダーラインのいずれか１つ以上が含まれることを特徴とした請求項１又は請求項３記載の電子化ドキュメントの閲覧装置。
【請求項７】
所定の要素項目は選択可能になっていることを特徴とした請求項１又は請求項３又は請求項６いずれか記載の電子化ドキュメントの閲覧装置。
【請求項８】
電子化されたドキュメントのページを連続して表示する際、各ページの中に所定の要素項目が少なくとも１つ以上存在する場合は所定時間そのページを表示し、所定の要素項目がいずれも存在しない場合はそのページの表示を行わないことを特徴とする電子化ドキュメントの閲覧方法。
【請求項９】
所定時間はある幅の中から選択可能になっていることを特徴とした請求項８記載の電子化ドキュメントの閲覧方法。
【請求項１０】
電子化されたドキュメントのページを連続して表示する際、各ページの中に所定の要素項目が少なくとも１つ以上存在する場合は第１の所定時間そのページを表示し、所定の要素項目がいずれも存在しない場合は第２の所定時間そのページの表示を表示することを特徴とする電子化ドキュメントの閲覧方法。
【請求項１１】
第２の所定時間は、第１の所定時間より短いことを特徴とした請求項１０記載の電子化ドキュメントの閲覧方法。
【請求項１２】
第１の所定時間はある幅の中から選択可能になっていることを特徴とした請求項１０又は請求項１１記載の電子化ドキュメントの閲覧方法。
【請求項１３】
所定の要素項目には、目次、章タイトル、写真、イラスト、表、グラフ、アンダーラインのいずれか１つ以上が含まれることを特徴とした請求項８又は請求項１０記載の電子化ドキュメントの閲覧方法。
【請求項１４】
所定の要素項目は選択可能になっていることを特徴とした請求項８又は請求項１０又は請求項１３いずれか記載の電子化ドキュメントの閲覧方法。
【請求項１５】
電子化されたドキュメントのページを連続して表示する際、各ページの中に所定の要素項目が少なくとも１つ以上存在する場合は所定時間そのページを表示し、所定の要素項目がいずれも存在しない場合はそのページの表示を行わないことを特徴とする電子化ドキュメントの閲覧方法のプログラムを記録した記録媒体。
【請求項１６】
所定時間はある幅の中から選択可能になっていることを特徴とした請求項１５記載の電子化ドキュメントの閲覧方法のプログラムを記録した記録媒体。
【請求項１７】
電子化されたドキュメントのページを連続して表示する際、各ページの中に所定の要素項目が少なくとも１つ以上存在する場合は第１の所定時間そのページを表示し、所定の要素項目がいずれも存在しない場合は第２の所定時間そのページの表示を表示することを特徴とする電子化ドキュメントの閲覧方法のプログラムを記録した記録媒体。
【請求項１８】
第２の所定時間は、第１の所定時間より短いことを特徴とした請求項１７記載の電子化ドキュメントの閲覧方法のプログラムを記録した記録媒体。
【請求項１９】
第１の所定時間はある幅の中から選択可能になっていることを特徴とした請求項１７又は請求項１８記載の電子化ドキュメントの閲覧方法のプログラムを記録した記録媒体。
【請求項２０】
所定の要素項目には、目次、章タイトル、写真、イラスト、表、グラフ、アンダーラインのいずれか１つ以上が含まれることを特徴とした請求項１５又は請求項１７記載の電子化ドキュメントの閲覧方法のプログラムを記録した記録媒体。
【請求項２１】
所定の要素項目は選択可能になっていることを特徴とした請求項１５又は請求項１７又は請求項２０いずれか記載の電子化ドキュメントの閲覧方法のプログラムを記録した記録媒体。
【発明の詳細な説明】
【技術分野】
【０００１】
本発明は、電子化されたドキュメントの閲覧装置、方法、およびその記録媒体に関するものである。
【背景技術】
【０００２】
従来の書籍の様なたくさんのページから構成されるドキュメントが、電子化された状態で閲覧される様になってきた。書籍の場合は、その概要を知るにはぱらぱらとページをめくってみる（以下、この行為を「ぱらぱらめくり」と記す）のが普通であった。しかし電子化ドキュメントの場合は、画面内にドキュメントのページが大きく表示されている状態では、各ページの内容を画面に表示する際のデータ展開に時間がかかる為、ぱらぱらめくりを行うことが困難であった。
【０００３】
これに対して、各ページを縮小したサムネイル画像を並べて表示して、ドキュメントの概要を理解できる様にする方法が取られていた。
【０００４】
また、サムネイル画像（もしくは、画面表示のデータ展開がぱらぱらめくりの速度に対して問題なく行えるまで小さくした１ページの大きさ）の各ページを、画面内の同じ位置で切り替えて表示することにより、書籍のぱらぱらめくりと同じ様に表示させる方法も行われていた。
【特許文献１】特開平９−１３８８０５号公報
【特許文献２】特開平７−２３０４６９号公報
【特許文献３】特開平７−８５０１１号公報
【特許文献４】特開平８−２２１４４４号公報
【特許文献５】特開平７−６５０２７号公報
【発明の開示】
【発明が解決しようとする課題】
【０００５】
しかし、前者の方法では、多数のサムネイル画像が、一列、もしくは、平面状に配置されるので、閲覧者は、表示画面内を目で順に追っていかなくてはならなかった。しかも、１画面内で表示できない程たくさんのページがある場合は、表示をスクロールさせながら、何度も画面内を目で追う作業が必要であり、閲覧者にとっては苦痛を伴う作業であった。
【０００６】
また後者の方法では画面内を目で追う必要はなくなるが、たくさんのページがある場合は長時間画面の同じ領域を見続ける必要がある為、これも閲覧者にとっては苦痛を伴う作業であった。
【０００７】
また、後者の様なぱらぱらめくりを行う方法として、特許文献１、特許文献２、特許文献３、特許文献４の様に、文書か画像のいずれか一方のみを表示したり、文書、図形、写真のうち指定したデータだけを表示したり、認識しやすいデータほど先に表示したり、ページの外観度を表示したりして、ドキュメントの概要認識の効果を上げ様とする提案もなされているが、これらの方法でも、閲覧者がぱらぱらめくりで全ページを見る為に必要な時間は変わらないので、同様に苦痛を伴う作業であることには変わりなかった。
【０００８】
また、特許文献５の様に、ページめくりの枚数に応じて表示速度を変えて、疲労度を緩和しようとする提案もなされているが、この方法でも、多量のページ数のドキュメントの場合は、苦痛が残る作業であった。
【０００９】
本発明は、この様な、電子化されたドキュメントのぱらぱらめくりを行う際に、閲覧者がページを見続けなくてはならない苦痛を緩和する為の、電子化ドキュメントの閲覧装置、方法、およびその記録媒体を提供することを目的とする。
【課題を解決するための手段】
【００１０】
上記課題を解決する為に、本発明では、電子化されたドキュメントのぱらぱらめくりを行う際、ドキュメントのページ内には概要認識に効果のある項目と効果の少ない項目が存在することに注目し、効果の少ない項目だけで構成されたページに関しては、そのページの表示を行わなかったり、非常に短時間だけ表示を行う手段を設けていることを特徴としている。
【００１１】
更に、本発明の第一の発明について詳細に整理して示せば、電子化されたドキュメントのページを連続して表示する際、各ページの中に所定の要素項目が少なくとも１つ以上存在する場合は所定時間そのページを表示し、所定の要素項目がいずれも存在しない場合はそのページの表示を行わないことを特徴とする電子化ドキュメントの閲覧装置。
【発明の効果】
【００１２】
本発明によれば、電子化ドキュメントの概要理解の為にぱらぱらめくりを行う際、概要理解に効果の少ないページに関しては表示を行わなかったり、高速なページ送りをしたりすることによって、閲覧者の疲労を少なくし、容易に理解できる様にすることが出来る。
【発明を実施するための最良の形態】
【００１３】
上記課題を解決する為に、本発明は、電子化されたドキュメントのぱらぱらめくりを行う際に、ドキュメントの概要認識に効果の少ないページを表示しない形態をとる。
【００１４】
また、上記課題を解決する為に、本発明は、電子化されたドキュメントのぱらぱらめくりを行う際に、ドキュメントの概要認識に効果の少ないページを高速に表示する形態をとる。
【００１５】
より詳細な本発明の実施形態に関しては、以下の実施例で説明する。
【実施例】
【００１６】
図１は、本発明の第１の実施例のシステム構成図である。
【００１７】
１はＣＰＵの様な演算及び制御装置であり、各種演算や本システム全体の制御を行っている。ここで言うＣＰＵとは、プロセッサーのチップを意味するのではなく、パソコンの本体の部分を意味している。
【００１８】
２は、ハードディスクの様な記憶装置であり、電子化ドキュメントの閲覧ソフトウエア及び電子化ドキュメントのデータが入っている。３は、マウスの様なポインティング装置であり、ここから入力された情報が、ＣＰＵ１に送られる。
【００１９】
４は、モニタの様な表示装置であり、電子化ドキュメントがここに表示されることによって、閲覧者が内容を読める様になる。５は、フロッピー（登録商標）ドライブの様なデータ読込み装置であり、電子化ドキュメントのデータも最初はここから読込まれて、ハードディスク２の中に蓄積される。
【００２０】
図２は、モニタ４の中に表示される、電子化ドキュメントの閲覧ソフトウエアの表示ウインドウ１１で、電子化ドキュメントの画面１２（ここでは表紙のページ）が開かれた状態の図である。この閲覧ソフトウエアの表示ウインドウ１１の「表示」メニュー１３の中に、「ぱらぱらめくり」メニュー１４がある。
【００２１】
電子化ドキュメントの閲覧ソフトウエアの各機能に関しては、従来から知られている内容ばかりなのでここでの説明は省略し、以下、本発明に関係する「ぱらぱらめくり」メニュー１４を選択した場合の動作に関して説明を行う。
【００２２】
図３は、「ぱらぱらめくり」メニュー１４を選択した場合に新たに表示されるぱらぱらめくりウインドウ１５で、この中に電子化ドキュメントの縮小画面１６（ここでは表紙のページ）が表示されている。この電子化ドキュメントの縮小画面１６は、図２の電子化ドキュメントの画面１２に比べてサイズが小さいので、画面表示のデータ展開に時間がかからず、従って、所定の短時間のインターバルで次々にページを表示していくぱらぱらめくりを実行しても、表示が間に合わなくなることはない様になっている。
【００２３】
１７はぱらぱらめくりを実行する「スタート」ボタンであり、マウス３を使用して、この「スタート」ボタン１７を押せば、ぱらぱらめくりが実行されることになる。１８はウインドウクローズアイコンで、ぱらぱらめくりウインドウ１５を表示させておく必要がなくなった場合に、マウス３を使用して、このウインドウクローズアイコン１８を押せば、ぱらぱらめくりウインドウ１５を終了させることが出来る。
【００２４】
図４−１は、電子化ドキュメントの代表的なページを示した図である。（Ａ）は表紙のページ、（Ｂ）は目次のページ、（Ｃ）は章タイトルのあるページ、（Ｄ）は写真の有るページ、また図４−２は図４−１の電子化ドキュメントの続きを示す図で、（Ｅ）はイラストの有るページ、（Ｆ）は表の有るページ、（Ｇ）がグラフの有るページ、（Ｈ）は細かな文字だけのページ、である。
【００２５】
これらのページを、図３の縮小画面１６の様な小さな画面で、１ページが短時間しか表示されないぱらぱらめくりを行った場合、（Ａ）から（Ｇ）に比べて（Ｈ）は閲覧者の目への留まり易さが低いと考えられる。本発明は、この特徴を活用して、閲覧者に電子化ドキュメントの概要認識を容易に行える様にしようとするものである。
【００２６】
以下、図５のフローチャートを使って、本発明の動作手順を説明する。
【００２７】
図５は、図２の「ぱらぱらめくり」メニュー１４が選択された場合に、起動されて動作する処理内容のフローチャートである。まずステップＳ００において、図３のぱらぱらめくりウインドウ１５が表示される。そしてステップＳ０１に進み、ページ数を格納する変数Ｎに１が代入される。この１と言う数字は、次に説明するステップＳ０２で表示される表紙のページのページ番号を意味している。
【００２８】
次にステップＳ０２に進み、ここで電子化ドキュメントの表紙のページの縮小画面１６が、ぱらぱらめくりウインドウ１５の中に表示される。次にステップＳ０３に進み、ぱらぱらめくりウインドウ１５にあるウインドウクローズアイコン１８が押されたかどうかの判定を行い、押された場合は、後で説明するステップＳ１５に進み、押されていない場合は次のステップＳ０４に進む。Ｓ０４は、ぱらぱらめくりウインドウ１５にある「スタート」ボタン１７が押されたかどうかの判定を行うステップで、押されていない場合はステップＳ０３に戻り、押された場合は次のステップＳ０５に進む。
【００２９】
Ｓ０５は、（Ｎ＋１）ページに、目次があるかどうかを判定するステップであり、目次がある場合は後述するステップＳ１１に進み、目次がない場合は次のステップＳ０６に進む。Ｓ０６は、（Ｎ＋１）ページに、章タイトルの様な大きな文字で表示された内容があるかどうかを判定するステップであり、章タイトルの様な大きな文字で表示された内容がある場合は後述するステップＳ１１に進み、ない場合は次のステップＳ０７に進む。Ｓ０７は、（Ｎ＋１）ページに、写真があるかどうかを判定するステップであり、写真がある場合は後述するステップＳ１１に進み、写真がない場合は次のステップＳ０８に進む。
【００３０】
Ｓ０８は、（Ｎ＋１）ページに、イラスト等の挿絵があるかどうかを判定するステップであり、イラスト等の挿絵がある場合は後述するステップＳ１１に進み、ない場合は次のステップＳ０９に進む。Ｓ０９は、（Ｎ＋１）ページに、表があるかどうかを判定するステップであり、表がある場合は後述するステップＳ１１に進み、表がない場合は次のステップＳ１０に進む。Ｓ１０は、（Ｎ＋１）ページに、グラフがあるかどうかを判定するステップであり、グラフがある場合は次のステップＳ１１に進み、グラフがない場合は後述するステップＳ１３に進む。Ｓ１１は、ステップＳ０５からステップＳ１０のどれかでＹｅｓの判定があった場合に実行されるステップで、ぱらぱらめくりウインドウ１５に電子化ドキュメントの（Ｎ＋１）ページの縮小画像を表示してから、ステップＳ１２に進む。
【００３１】
Ｓ１２は、予め定められた一定時間が経過するのを待つステップあり、ステップＳ１１で電子化ドキュメントの（Ｎ＋１）ページが表示されてから一定時間が経った後、次のステップＳ１３に進む。Ｓ１３は、ステップＳ１２で一定時間が経過した後、もしくは、ステップＳ１０でＮｏの判定があった場合に行われるステップで、ページ番号Ｎに１を加える処理が行なわれる。
【００３２】
そして次のＳ１４のステップでは、（Ｎ＋１）ページが存在するかどうかの判定を行い、（Ｎ＋１）ページが存在すればステップＳ０５に戻り、（Ｎ＋１）ページが存在しない場合はステップＳ０１に戻る。なお、このＳ１４のステップで言う（Ｎ＋１）ページとは、ステップＳ１３で１が加えられたページの更に次のページのことであるので、ステップＳ０５からステップＳ１０で判定を行った「（Ｎ＋１）ページ」の次のページのことを意味する。Ｓ１５は、ステップＳ０３でぱらぱらめくりウインドウ１５にあるウインドウクローズアイコン１８が押された場合に実行されるステップで、ぱらぱらめくりウインドウ１５を閉じて、このフローの処理を終了する。
【００３３】
次に、図５のフローチャートの動作状況を、具体的に説明する。
【００３４】
まず、図２の「ぱらぱらめくり」メニュー１４が選択されると、Ｓ００からＳ０２のステップで、図３に示された様に、ぱらぱらめくりウインドウ１５の中に、電子化ドキュメントの表紙のページの縮小画面１６が表示された状態となる。この状態で、Ｓ０３、Ｓ０４のステップで、ぱらぱらめくりウインドウ１５にある「スタート」ボタン１７かウインドウクローズアイコン１８のどちらかが押されるのを待ち続けることになる。ここで、ウインドウクローズアイコン１８が押された場合は、Ｓ１５のステップを経由して終了することになる。
【００３５】
「スタート」ボタン１７が押された場合は、Ｓ０５からＳ１０のステップで、（Ｎ＋１）ページの内容を調べることになる。最初は、ステップＳ０１でＮに１の値、すなわち表紙のページが設定されているので、（Ｎ＋１）ページは、ほとんどの場合目次のページのこととなり、Ｓ０５のステップの判定で目次であると判断され、Ｓ１１のステップでその目次のページの縮小画面がぱらぱらめくりウインドウ１５の中に表示されることになる。
【００３６】
この後Ｓ１２のステップで、予め定められた一定時間この目次のページが表示され続けることになる。この予め定められた一定時間は、ぱらぱらめくりウインドウ１５の中に１ページ分の画面を表示するのに必要な時間より長い時間で、かつ、閲覧者がそのページの概要を認識するのに適した時間になる様に設定されている。
【００３７】
この後ステップＳ１３に進んで、Ｎの値に１を加えてＮの値が２となり、その後ステップＳ１４に進むが、２ページ目の目次の後にもまだまだページが存在するので、ステップＳ０５に戻り、Ｓ０５からＳ１０のステップで、更に次のページの内容を調べることになるのである。
【００３８】
図４−１及び図４−２の電子化ドキュメントの代表的なページの中で、最初に表示される表紙のページ（Ａ）を除くと、（Ｎ＋１）ページの内容が（Ｂ）から（Ｇ）までのページの場合、ステップＳ０５からステップＳ１０までのどれかの判定でＹｅｓと判定され、Ｓ１１、Ｓ１２のステップで予め定められた一定時間、そのページが表示されることになる。
【００３９】
そして図４−２の（Ｈ）のページの場合だけが、ステップＳ０５からステップＳ１０の全ての判定でＮｏと判定され、そのままＳ１３のステップに進むので、このページは表示されないまま、Ｎに１が加えられて、次のページの判定ステップＳ０５に進むことになるのである。
【００４０】
従って、図４−１及び図４−２の電子化ドキュメントの代表的なページの中で、最初に表紙のページ（Ａ）が表示され、「スタート」ボタン１７が押されると、ページ順に、（Ｂ）から（Ｇ）の内容を含むページは予め定められた一定時間表示されるが、（Ｈ）のページに関しては全く表示されないまま、次の（Ｂ）から（Ｇ）のどれかのページが表示されることになるのである。
【００４１】
以上説明した様に、本発明を用いると、電子ドキュメントのぱらぱらめくりを行う際、細かな文字だけで記述されているページを飛ばして（すなわち、表示せずに）ぱらぱらめくりが行われるので、短時間のうちにドキュメントの概要認識に必要なページだけを閲覧することになり、長時間ぱらぱらめくりの画面を見続けて疲れてしまうこともなく、容易にドキュメントの概要を認識できる様になるのである。
【００４２】
次に、本発明の第２の実施例に関して説明する。
【００４３】
この第２の実施例に関しては、第１の実施例で説明した図１のシステム構成図と同じシステム構成であり、また、第１の実施例で説明した図２、図３のウインドウに関しても同じウインドウであるので、ここでの繰り返しの説明は省略する。
【００４４】
また、以下、図６を使用して説明するフローチャートに関しても、共通するステップが存在するので、共通するステップに関しては同一のステップ番号を付けて繰り返しの説明を省略し、第２の実施例に特徴的なステップのみを説明することにする。
【００４５】
図６のフローチャートにおいて、第１の実施例と異なるのは、第１の実施例ではステップＳ１０でＮｏと判定された場合、ステップＳ１３に進んでいたが、第２の実施例では、Ｓ１６とＳ１７のステップを実施した後ステップＳ１３に進むことである。このＳ１６は、ステップＳ１０でＮｏと判定された場合に実施されるステップで、ぱらぱらめくりウインドウ１５に電子化ドキュメントの（Ｎ＋１）ページの縮小画像を表示してから、ステップＳ１７に進む。Ｓ１７は、予め定められた一定時間が経過するのを待つステップあり、ステップＳ１６で電子化ドキュメントの（Ｎ＋１）ページが表示されてから一定時間が経った後、ステップＳ１３に進む様になっている。
【００４６】
図６のフローチャートにおいて、第２の実施例に特徴的な動作は、Ｓ０５からＳ１０のステップで全てＮｏと判定される図４−２の（Ｈ）のページに関して、第１の実施例では全く表示されずに次のページに進むのに対し、第２の実施例では、ステップＳ１６で（Ｈ）のページが表示された上で、ステップＳ１７で予め設定された一定時間だけ表示し続けた後、ステップＳ１３以降の次のページの処理に進む点である。但し、ステップＳ１２での予め設定された一定時間が、閲覧者がそのページの概要を認識するのに適した時間となる様に設定されているのに対し、ステップＳ１７での予め設定された一定時間は、ぱらぱらめくりウインドウ１５の中に１ページ分の画面を表示するのに必要な最低限の時間が設定されていることに特徴がある。
【００４７】
この結果第２の実施例では、図４−１及び図４−２の電子化ドキュメントの代表的なページの中で、最初に表紙のページ（Ａ）が表示され、「スタート」ボタン１７が押されると、ページ順に、（Ｂ）から（Ｇ）の内容を含むページは予め定められた閲覧者がそのページの概要を認識するのに適した一定時間表示されるが、（Ｈ）のページに関してはページ内容は表示されるのだが、ぱらぱらめくりウインドウ１５の中に１ページ分の画面を表示するのに必要な最低限の時間だけ表示されて、直に次のページが表示されることになるのである。
【００４８】
つまり、（Ｈ）のページに関しては１ページ分の画面が表示されるや否や、次のページに進んでしまうこととなるのである。一般的に、（Ｈ）の様なページは、ぱらぱらめくりで見る際には概要認識の効果は少ないので、短時間で次のページに移ることは、閲覧者の疲労を少なくする為には有効である。但し、この様なページがどの程度続くかを実感できることがその電子化ドキュメントの概要把握に有効な要素と成る、と言うメリットを有している。
【００４９】
以上説明した様に、本発明の第２の実施例を用いると、電子ドキュメントのぱらぱらめくりを行う際、細かな文字だけで記述されているページを最短時間で表示するぱらぱらめくりが行われるので、ドキュメントの概要認識に必要なページを中心に閲覧でき、全てのページを同じ時間間隔でぱらぱらめくりするのに比べて画面を見続ける疲労が少なくなるメリットを有している。また、概要認識に効果の少ないページであっても、そのボリューム感を把握することができるので、ドキュメント全体の概要認識にプラスとなるメリットを有している。
【００５０】
なお、以上説明した２つの実施例では、（Ｂ）から（Ｇ）の内容のページの表示時間が予め定められた固定時間になっているが、ある時間の幅で閲覧者が表示時間を選択できる様にすることも可能である。この場合は、ぱらぱらめくりウインドウ１５の中に表示時間設定手段を設けて、閲覧者が、マウス３を使って表示時間設定手段で自分の希望する表示時間を選択した後、「スタート」ボタン１７を押すことで、（Ｂ）から（Ｇ）の内容のページが、選択された表示時間で表示される様になるのである。
【００５１】
また、上記２つの実施例では、ぱらぱらめくりを途中で中断することができないが、ぱらぱらめくり中断の為の「ストップ」ボタンを設けることにより、その「ストップ」ボタンが選ばれたことを検知した時点で、ぱらぱらめくりを中断させることが可能である。ぱらぱらめくりが中断された場合は、その時点でのページがぱらぱらめくりウインドウ１５に表示されることになる。更に、これに連動して、図２の閲覧ソフトウエアの表示ウインドウ１１内にもそのページの画面を表示させることも可能である。更にこれに「逆方向のスタート」ボタンを設けることにより、その位置から逆方向にぱらぱらめくりを実行できる様にすることも可能である。
【００５２】
更に、上記第１の実施例では表示されるページ内容として、また第２の実施例では長い時間表示されるページ内容として、表紙、目次、章タイトルのあるページ、写真のあるページ、イラストのあるページ、表のあるページ、グラフのあるページが使われているが、本発明はこれに限定されるものではなく、例えば、アンダーラインが付けられたページを加えたりすることも可能であるし、逆にどれかのページを除くことも可能である。
【００５３】
また、上記実施例では、これらのページは予め定められた固定のものであるが、閲覧者が選択できる様にすることも可能である。この場合、ページ内容を選択する手段を設け、閲覧者が事前にマウス３を用いて選択手段から表示させたい（第２の実施例の場合なら長い時間表示させたい）ページ内容を選択しておけば、「スタート」ボタン１７を押した時、選択されたページ内容が表示される（第２の実施例の場合なら長い時間表示される）様にできるのである。
【００５４】
なお、本発明は、上記２つの実施例の書き方に関わらず、機能を実現する装置、及び、ソフトウエア、更には、ソフトウエアを記録する記録媒体をも包含するものである。
【図面の簡単な説明】
【００５５】
【図１】本発明のシステム構成図
【図２】閲覧ソフトウエアの表示ウインドウを示す図
【図３】ぱらぱらめくりウインドウを示す図
【図４−１】（Ａ）（Ｂ）（Ｃ）（Ｄ）電子化ドキュメントの代表的なページを示す図
【図４−２】（Ｅ）（Ｆ）（Ｇ）（Ｈ）電子化ドキュメントの代表的なページを示す図
【図５】第１の実施例のフローチャート
【図６】第２の実施例のフローチャート
【符号の説明】
【００５６】
１  ＣＰＵ
２  ハードディスク
３  マウス
４  モニタ
５  フロッピー（登録商標）ドライブ
１１  閲覧ソフトウエアの表示ウインドウ
１２  電子化ドキュメントの画面
１３  「表示」メニュー
１４  「ぱらぱらめくり」メニュー
１５  ぱらぱらめくりウインドウ
１６  電子化ドキュメントの縮小画面
１７  「スタート」ボタン
１８  ウインドウクローズアイコン
【図１】
2006268463.tif 000003
【図４−１】
2006268463.tif 000004
【図４−２】
2006268463.tif 000005
【図５】
2006268463.tif 000006
【図６】
2006268463.tif 000007
【図２】
2006268463.tif 000008
【図３】
2006268463.tif 000009